(57)【要約】【課題】袖口からの空気の漏出を防止することができる空調服を提供することを目的とする。【解決手段】着用者の胴を覆う胴部と、胴部に配され空調服の内部に空気を供給する送風部と、着用者の腕を覆う袖部とを有する空調服であり、袖部は、伸縮性の生地で構成され、着用者の腕を締めることによって、袖口からの空気の漏出を防止する空調服である。【選択図】図１
2018178334.tif 000002
【特許請求の範囲】
【請求項１】
着用者の胴を覆う胴部と、胴部に配され空調服の内部に空気を供給する送風部と、着用者の腕を覆う袖部とを有する空調服であり、
袖部は、伸縮性の生地で構成され、着用者の腕を締めることによって、袖口からの空気の漏出を防止する空調服。
【請求項２】
袖部の外側には、第２袖部が配される請求項１記載の空調服。
【請求項３】
第２袖部の丈は、８〜６０ｃｍである請求項１又は２に記載の空調服。
【請求項４】
第２袖部の丈は、袖部の丈よりも長く構成された請求項１ないし３のいずれかに記載の空調服。
【請求項５】
袖部の丈は、第２袖部の丈よりも長く構成された請求項１ないし３のいずれかに記載の空調服。
【請求項６】
袖部の形状は、胴側の内径に対して手側の内径が小さく構成されたテーパー状である請求項１ないし５のいずれかに記載の空調服。
【発明の詳細な説明】
【技術分野】
【０００１】
本発明は、空調服に関する。
【背景技術】
【０００２】
以下の特許文献１に示すように、ファンを取り付けた衣服が知られている。ファンを回転させることで衣服と着用者の身体の隙間に空気を供給し、衣服と身体の間に溜まった高温多湿の空気を衣服の外に排出する。このようにすることで汗が蒸発しやすくなるため、着用者は涼感を得ることできる。
【０００３】
特許文献１の空調服は、内衣と外衣とから構成されており、内衣と外衣とに貫通孔を設け、当該貫通孔にファンが取り付けられる。ファンを作動させると、内衣と身体との間の空間に空気が供給される。この空調服では、裾部分に伸縮性を有する部材を配置することで、裾部から空気が漏れることを防止するとされている。
【先行技術文献】
【特許文献】
【０００４】
【特許文献１】特許第６０１７０６９号公報
【発明の概要】
【発明が解決しようとする課題】
【０００５】
特許文献１等の従来の空調服では、ファンから供給された空気を着用者の頸部から排出する。ファンから供給された空気は、袖口からも漏出するものであった。
【０００６】
人間の首から肩にかけては、複数本の太い血管が皮膚に近い場所を流れている。このため、酷暑環境で作業を行う者の身体を冷却しようとした場合は、頸部を冷却すると効率がよい。
【０００７】
しかしながら、上述のような、従来の空調服では、ファンから供給された空気は袖口から漏出してしまうため、必ずしも効率的に着用者の身体を冷却できるものではなかった。
【０００８】
本発明は、袖口からの空気の漏出を防止することができる空調服を提供することを目的とする。
【課題を解決するための手段】
【０００９】
着用者の胴を覆う胴部と、胴部に配され空調服の内部に空気を供給する送風部と、着用者の腕を覆う袖部とを有する空調服であり、袖部は、伸縮性の生地で構成され、着用者の腕を締めることによって、袖口からの空気の漏出を防止する空調服によって、上記の課題を解決する。
【００１０】
上記の空調服において、袖部の外側には、第２袖部が配されることが好ましい。第２袖部を配することによって、着用者の腕や伸縮性の生地で構成される袖部を保護すると共に、袖部に伸縮性の生地を使用していない空調服の外観に近似させることが可能になる。
【００１１】
上記の空調服において、第２袖部の丈は、８〜６０ｃｍとすることが可能である。上記の空調服では、袖部によって袖口からの空気の漏出を防止する。このため、第２袖部の丈は空気の漏出を意識せずに設計することが可能になる。例えば、第２袖部を半袖や七分丈であった場合は、袖口からの空気の漏出が顕著になる。しかしながら、上記の空調服では、袖部によって袖口からの空気の漏出が防止される。このため、例えば、第２袖部を半袖や七分丈とすることも可能である。このように、袖を短く構成すれば、腕を曲げたり伸ばしたりする際に生地が突っ張り難くなるので、作業時の着心地を向上させることが可能である。
【００１２】
上記の空調服において、第２袖部の丈は、袖部の丈よりも長く構成してもよい。このようにすれば、袖部が外に表れるのを防いで、袖部に伸縮性の生地を使用していない空調服の外観と同等にすることが可能である。
【００１３】
上記の空調服において、袖部の丈は、第２袖部の丈よりも長く構成してもよい。このようにすることで、袖部によって、第２袖部の先端から露出する腕を紫外線や外傷から保護することができる。
【００１４】
上記の空調服において、袖部の形状は、胴側の内径に対して手側の内径が小さく構成されたテーパー状とすることが好ましい。これにより、着用者の脇の下の周辺にゆとりを持たせて、送風部から供給された空気を脇の下部分にも流通させることが可能になる。これによって、より効率的に着用者の身体を冷却することが可能になる。
【発明の効果】
【００１５】
本発明によれば、袖口からの空気の漏出を防止することができる空調服を提供することができる。
【図面の簡単な説明】
【００１６】
【図１】空調服の一実施形態を示す正面図である。
【図２】図１の空調服の背面図である。
【図３】比較のために用意した空調服の背面図である。
【図４】図１の空調服の背面図である。
【図５】送風部の一例を示す平面図である。
【図６】図４のＡＡ部分における断面図である。
【図７】図６に示した送付部が着用者の身体に密着した状態を示す説明図である。
【図８】空調服の第２の実施形態を示す背面図である。
【発明を実施するための形態】
【００１７】
図面を参照しながら、本発明に係る空調服の一実施形態について説明する。以下に挙げる実施形態は、一例に過ぎない。
【００１８】
本実施形態の空調服１は、着用者の胴を覆う胴部１１と、胴部１１に配され空調服１の内部に空気を供給する送風部１２（図５参照）と、着用者の腕を覆う袖部１３とを有する。袖部１３は、伸縮性を有する生地で構成されているため、着用者の腕を伸縮性を有する生地で締めることによって、袖口１３１、１４１からの吸気の漏出を防止することができる。
【００１９】
本実施形態の空調服１は、図１に示したように、袖部１３の外側に第２袖部１４を備える。第２袖部１４の丈は、約２０〜５０ｃｍであり、いわゆる半袖の丈である。このような、短い丈の空調服１では袖を構成する生地が短いため、腕の曲げたり延ばしたりする際に袖の生地が突っ張り難く作業を行う際の着心地がよい。図１において、第２袖部１４は実線で示し、第２袖部１４によって隠れている袖部１３を透視した状態で破線により示した（図２、図４、図８において同じ。）。
【００２０】
一方で、空調服３において、袖３４の丈を短くすると、図３において矢印で示したように、送風部から空調服の内部に供給される空気の大半が袖口３４１から漏出してしまう。その結果、着用者の頸部に空気をほとんど供給することができなくなり、着用者の身体を効率的に冷却することができなくなってしまう。頸部には、複数本の太い血管が皮膚の近くを流れている。このため、着用者の身体を冷却するには頸部に空気を供給することが効率的である。なお、図３においては、後述する貫通孔にはめ込まれる送風部は省略して示した（図２、図４、及び図８において同じ。）。
【００２１】
本実施形態の空調服１では、上述の通り、半袖丈の第２袖部１４の内側に伸縮性生地で構成した袖部１３を設けているため、袖口１３１、１４１からの空気の漏出を効果的に防止することができる。このため、送風部１２から空調服１の内部に供給された空気は、図２において矢印で示したように、空調服１の襟１１４を経て外に排出されるようになる。このとき着用者の頸部を空気が通り抜けるため、着用者の身体が効率的に冷却される。
【００２２】
まとめると、本実施形態の空調服１では、腕の曲げ伸ばしの際に第２袖部１４の生地が突っ張り難く、動きやすい。また、袖口１３１、１４１からの空気の漏出が防止され、頸部により多くの空気が供給されるようになるため涼感にも優れる。さらに、従来は見られなかった袖丈の短い空調服を提供することができるようになり、袖丈の短い空調服を求めるユーザーの需要を満足させることが可能になる。
【００２３】
本実施形態の空調服では、図１に示したように、第２袖部１４の丈が袖部１３の丈よりも長くなるよう構成されている。このようにすることによって、第２袖部１４の袖口１４１から露出する腕を紫外線や外傷から保護することができる。第２袖部１４は、伸縮性を有する生地から構成されているため、腕を曲げ伸ばしする動作を妨げない。また、第２袖部１４は、着用者の腕にフィットする形状となっているため、第２袖部１４が作業の邪魔になることはない。袖部１３によって腕を保護するためには、袖部１３の長さは、肘から手首のまでの任意の長さにすることが好ましい。例えば、袖部の長さを３０〜８０ｃｍとすることが好ましい。
【００２４】
［各部の構成］
以下、本実施形態の空調服１を構成する各部の構成について説明する。
【００２５】
胴部１１は、着用者の胴を覆う部分である。胴部１１は、着用者の胴を覆うことができる形であればよく、その具体的な構成は特に限定されない。本実施形態の空調服１では、図１及び図２に示したように、胴部１１は、前身頃１１１と、後身頃１１２と、ヨーク１１３と、襟１１４と、裾布１１５とを含む。
【００２６】
前身頃１１１は、図１に示したように、右前身頃１１１ａと左前身頃１１１ｂとに分割されており、右前身頃１１１ａと左前身頃１１１ｂの端部には、線ファスナー１１６が設けられる。線ファスナー１１６を閉じることによって、胴部の前側を密閉することができる。これによって、胴部１１の前側から空気が漏出することを防止することができる。線ファスナー１１６は、ヨーク１１３を経て襟１１４の端部に至るまで連続する。したがって、襟周辺において線ファスナー１１６を締める度合いを調整することによって、襟１１４から排出される空気の流量を調整することが可能になる。
【００２７】
後身頃１１２は、略長方形状の右後身頃１１２ａと左後身頃１１２ｂと、長方形状の中後身頃１１２ｃとに分割されている。後見頃１１２の腰寄りの部分、より具体的には、右後身頃１１２ａと左後身頃１１２ｂの腰寄りの部分には、後述する送風部１２を嵌める貫通孔１６と保護具１７とが、それぞれ設けられる。
【００２８】
胴部１１を構成する布は、それぞれ以下のように縫合されている。後身頃１１２は、右後身頃１１２ａの左端部と中後身頃１１２ｃの右端部とが縫合され、左後身頃１１２ｂの右端部と中後身頃１１２ｃの左端部とが縫合された状態である。そして、後右身頃１１２の右端部と前右身頃１１１ａの右端部とが縫合され、後左身頃１１２ｂの左端部と前左身頃１１１ｂの左端部とが縫合されている。そして、後身頃１１２及び前身頃１１１の上端部と、ヨーク１１３の両下端部とが縫合されている。前身頃１１１及び後見頃１１２の下端部と裾布１１５の上端部とが縫合されている。襟１１４は、ヨーク１１３の上端部に設けられた襟ぐりに縫合されている。
【００２９】
胴部１１の右側及び左側の上部には略円形の袖ぐりが配される。袖ぐりには、伸縮性を有する生地を筒状に縫合してなる袖部１３の基端部と、任意の生地を筒状に縫合してなる第２袖部１４の基端部とが、縫合される。このとき、第２袖部１４が外側になり、袖部１３が内側になるように、袖ぐりに対して縫合される。袖部１３は、着用者が腕を通したときに腕にフィットして腕を締めることができる程度の寸法で筒状に縫合される。
【００３０】
袖部１３を構成する生地は、伸縮性を備えるものを使用する。そのようなものとしては、例えば、編物又は織布が挙げられる。織布は、経糸及び/又は緯糸に弾性糸を使用することが好ましい。織織布は、適度な通気性を有するため、作業時における蒸れを防止することができるので好ましい。
【００３１】
裾布１５は、後述する１２から供給される空気が空調服１の外に漏出することを防止する構成とすることが好ましい。例えば、裾布１５を構成する生地に伸縮糸を使用したり、裾布１５を折り返して袋状となし、その中にゴムなどの伸縮材を内蔵させた状態で前身頃等に縫合してもよいし、図１に示したように、裾布１５によって裾口の内径を小さく絞ってもよいし、釦１１５ａなどの固定具を利用して裾口の内径を小さく絞った状態で固定することができるようにしてもよい。
【００３２】
第２裾部１４は、上述の通り、任意の素材で構成すればよい。例えば、胴部１１を構成する生地と同種の生地を使用してもよい。第２裾部１４を構成する生地としては、例えば、綿等の天然素材の糸、又はポリエステル、若しくはナイロン等の合成繊維の糸で織成した織布を使用することができる。中でも、型崩れし難く、耐摩耗性に優れ、軽量かつ速乾性に優れるポリエステルを含む織布で構成することが好ましい。
【００３３】
本実施形態の空調服１では、上述の通り、後右身頃１１２ａ及び後左身頃１１２ｂにそれぞれ貫通孔１６を設け、貫通孔１６の縁に保護具１７を固定する。図６に示したように、保護具１７は、貫通孔１６の縁を覆って、空調服１を構成する生地の端部が解れたり、破れたりしないようにする。保護具１７は、合成ゴムなどの弾性素材から構成されており、空調服１を構成する生地に追従して曲ることができる。
【００３４】
上記の保護具１７は、図６に示したように、後述する送風部１２に設けられた取付用のフランジ１２１に対応する凹部１７１を備えている。この凹部１７１に送風部１２のフランジ１２１を嵌めることで、送風部１２を固定する位置を定めることができる。送風部１２を保護具１７に固定するには、図６に示したように、凹部１７１にフランジ１２１を嵌めた状態で、空調服１の内側から菅状の固定具１８を送風部１２のケース１２２に嵌めて、固定具１８とフランジ１２１とで保護具１７を挟むようにする。固定具１８が脱落しないように、固定具１８とケース１２２とを爪を用いて係合させるようにしてもよい。
【００３５】
送風部１２は、空調服１の内部に空気を供給することができるものであればよい。本実施形態の空調服１では、図６に示したように、送風部１２として、ファン１２３と、ファン１２３を回転させる駆動源１２４と、ファン１２３を内蔵するケース１２２と、ケース１２２の上端部又は下端部に設けられ、ファンの回転軸に交差する方向に突出するフランジ１２１と、ケース１２２に嵌めることができる蓋体１２５と、上述の固定具１８とを含む。蓋体１２５とケース１２２は、格子で構成されている。このため、ファン１２３を回転させると蓋体１２５を介して空気が取り込まれ、ケース１２２を経て、空調服１の中に空気が排出される。
【００３６】
駆動源１２４としては、例えば、小型のモータが挙げれられる。例えば、モーターは、図示しない小型バッテリーを接続して、ファン１２３を回転させる電力を供給すればよい。そして、例えば、空調服１の内側に小型バッテリーを収納するためのポケットを設ければよい。
【００３７】
ファン１２３を内蔵するケース１２２は、図７に示したように、着用者の身体４に向く面、すなわち、空気の排出口が側面視において略円弧状となっている。このため、図７に示したように、着用者の身体４がケース１２２に密着したとしてもケース１２２の曲面部分１２２ａから吸気を空調服の内部に排出することが可能になる。また、ケース１２２が略円弧状になっているため、着用者の身体がケースに密着したととしても、ケース１２２の角が着用者の身体４に当たることがないので不快感を軽減することができる。
【００３８】
［他の実施形態］
図８に示したように、第２袖部１４の丈が、袖部２３の丈よりも長くなるように空調服の構成を変更してもよい。このようにした空調服１では、袖部２３が外に表われない。このため、袖を二重構造にしていない通常の空調服の外観と同等に仕上げることが可能になる。袖部２３の丈は、例えば、２ｃｍ以上、６０ｃｍ未満とすることが好ましく、４０ｃｍ以下とすることがより好ましく、３０ｃｍ以下とすることがさらに好ましい。
【００３９】
図８に示した空調服２の袖部２３としては、例えば、衣服の袖口に使用されるリブやその他の伸縮性を有する織編布を筒状にしたものを使用することができる。リブはリブ編み（蛙編み）で編まれた生地を筒状に縫合して構成されており、伸縮性を有する。
【００４０】
上記の空調服２は、空調服１と同様に、袖口１４からの空気の漏出が防止されると共に、袖を構成する生地が突っ張らないため、作業時における着心地に優れている。空調服２において、空調服１と同様の構成については、空調服１で使用したのと同じ符号を使用した。
【００４１】
上記の実施形態の空調服１、２では、図２及び図８に示したように、袖部１３、２３がいずれもテーパー状とされている。すなわち、袖部１３、２３の胴側（袖部の基端側）の内径に対して手側（袖部の先端側）の内径が小さくなる筒状の形状とされている。袖部１３、２３をテーパー状にすることにより、着用者の脇の下の周辺に空気が通り抜けることができる空間を形成することができる。すなわち、送風部１２から空気を供給すると、図２及び図８において矢印で示したように、供給された空気の一部は、着用者の脇の下の周辺を通って、着用者の胴側に戻り、襟１１４を経て空調服の外部に排出されるようになる。
【００４２】
袖部１３、２３をテーパー状にすることによって、空調服１の内部に供給された空気を脇の下周辺に導いてより効率的に着用者の身体を冷却することが可能になる。脇の下部分では、皮膚の近くを太い血管が走っており、脇の下周辺に空気を供給することによって、着用者の身体を冷却することができる。
【００４３】
上記の実施形態に係る空調服１では、第２袖部１４の丈を半袖丈としたが、例えば、第２袖部１４の丈を８〜６０ｃｍの範囲で変更してもよい。上述の第２袖部１４を半袖丈とした場合と同様の作用効果を得ることができる。
【００４４】
上記の実施形態に係る空調服では、袖部１３と第２袖部１４とを備える二重の袖としたが、第２袖部１４を省略してもよい。
【符号の説明】
【００４５】
１      空調服
１１    胴部
１２    送風部
１３    袖部
１４１  袖口
１３１  袖口
１４    第２袖部
【図１】
2018178334.tif 000003
【図２】
2018178334.tif 000004
【図３】
2018178334.tif 000005
【図４】
2018178334.tif 000006
【図５】
2018178334.tif 000007
【図６】
2018178334.tif 000008
【図７】
2018178334.tif 000009
【図８】
2018178334.tif 000010
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
着用者の胴を覆う胴部と、胴部に配され衣服の内部に空気をファンにより供給する送風部と、着用者の腕を覆い第２袖部の内側に配される袖部と、袖部の外側に配され胴部に対して縫合された第２袖部とを有する衣服であり、
第２袖部の丈は、８〜６０ｃｍであり、
袖部は、手首までの任意の長さであり、伸縮性の生地で構成され、着用者の腕を締めることによって袖口からの空気の漏出を防止する、
ファン付き衣服。
【請求項２】
送付部から衣服の内部に供給された空気は、襟を経て外に排出される請求項１に記載のファン付き衣服。
【請求項３】
袖部と第２袖部とは二重の袖を構成する請求項１又は２に記載のファン付き衣服。
【請求項４】
第２袖部の丈は、袖部の丈よりも長く構成された請求項１ないし３のいずれかに記載のファン付き衣服。
【請求項５】
袖部の丈は、第２袖部の丈よりも長く構成された請求項１ないし３のいずれかに記載のファン付き衣服。
【請求項６】
袖部の形状は、胴側の内径に対して手側の内径が小さく構成されたテーパー状である請求項１ないし５のいずれかに記載のファン付き衣服。
【手続補正２】
【補正対象書類名】明細書
【補正対象項目名】全文
【補正方法】変更
【補正の内容】
【発明の詳細な説明】
【技術分野】
【０００１】
本発明は、ファン付き衣服に関する。
【背景技術】
【０００２】
以下の特許文献１に示すように、ファンを取り付けた衣服が知られている。ファンを回転させることで衣服と着用者の身体の隙間に空気を供給し、衣服と身体の間に溜まった高温多湿の空気を衣服の外に排出する。このようにすることで汗が蒸発しやすくなるため、着用者は涼感を得ることできる。
【０００３】
特許文献１のファン付き衣服は、内衣と外衣とから構成されており、内衣と外衣とに貫通孔を設け、当該貫通孔にファンが取り付けられる。ファンを作動させると、内衣と身体との間の空間に空気が供給される。このファン付き衣服では、裾部分に伸縮性を有する部材を配置することで、裾部から空気が漏れることを防止するとされている。
【先行技術文献】
【特許文献】
【０００４】
【特許文献１】特許第６０１７０６９号公報
【発明の概要】
【発明が解決しようとする課題】
【０００５】
特許文献１等の従来のファン付き衣服では、ファンから供給された空気を着用者の頸部から排出する。ファンから供給された空気は、袖口からも漏出するものであった。
【０００６】
人間の首から肩にかけては、複数本の太い血管が皮膚に近い場所を流れている。このため、酷暑環境で作業を行う者の身体を冷却しようとした場合は、頸部を冷却すると効率がよい。
【０００７】
しかしながら、上述のような、従来のファン付き衣服では、ファンから供給された空気は袖口から漏出してしまうため、必ずしも効率的に着用者の身体を冷却できるものではなかった。
【０００８】
本発明は、袖口からの空気の漏出を防止することができるファン付き衣服を提供することを目的とする。
【課題を解決するための手段】
【０００９】
着用者の胴を覆う胴部と、胴部に配されファン付き衣服の内部に空気を供給する送風部と、着用者の腕を覆う袖部とを有するファン付き衣服であり、袖部は、伸縮性の生地で構成され、着用者の腕を締めることによって、袖口からの空気の漏出を防止するファン付き衣服によって、上記の課題を解決する。
【００１０】
上記のファン付き衣服において、袖部の外側には、第２袖部が配されることが好ましい。第２袖部を配することによって、着用者の腕や伸縮性の生地で構成される袖部を保護すると共に、袖部に伸縮性の生地を使用していないファン付き衣服の外観に近似させることが可能になる。
【００１１】
上記のファン付き衣服において、第２袖部の丈は、８〜６０ｃｍとすることが可能である。上記のファン付き衣服では、袖部によって袖口からの空気の漏出を防止する。このため、第２袖部の丈は空気の漏出を意識せずに設計することが可能になる。例えば、第２袖部を半袖や七分丈であった場合は、袖口からの空気の漏出が顕著になる。しかしながら、上記のファン付き衣服では、袖部によって袖口からの空気の漏出が防止される。このため、例えば、第２袖部を半袖や七分丈とすることも可能である。このように、袖を短く構成すれば、腕を曲げたり伸ばしたりする際に生地が突っ張り難くなるので、作業時の着心地を向上させることが可能である。
【００１２】
上記のファン付き衣服において、第２袖部の丈は、袖部の丈よりも長く構成してもよい。このようにすれば、袖部が外に表れるのを防いで、袖部に伸縮性の生地を使用していないファン付き衣服の外観と同等にすることが可能である。
【００１３】
上記のファン付き衣服において、袖部の丈は、第２袖部の丈よりも長く構成してもよい。このようにすることで、袖部によって、第２袖部の先端から露出する腕を紫外線や外傷から保護することができる。
【００１４】
上記のファン付き衣服において、袖部の形状は、胴側の内径に対して手側の内径が小さく構成されたテーパー状とすることが好ましい。これにより、着用者の脇の下の周辺にゆとりを持たせて、送風部から供給された空気を脇の下部分にも流通させることが可能になる。これによって、より効率的に着用者の身体を冷却することが可能になる。
【発明の効果】
【００１５】
本発明によれば、袖口からの空気の漏出を防止することができるファン付き衣服を提供することができる。
【図面の簡単な説明】
【００１６】
【図１】ファン付き衣服の一実施形態を示す正面図である。
【図２】図１のファン付き衣服の背面図である。
【図３】比較のために用意したファン付き衣服の背面図である。
【図４】図１のファン付き衣服の背面図である。
【図５】送風部の一例を示す平面図である。
【図６】図４のＡＡ部分における断面図である。
【図７】図６に示した送付部が着用者の身体に密着した状態を示す説明図である。
【図８】ファン付き衣服の第２の実施形態を示す背面図である。
【発明を実施するための形態】
【００１７】
図面を参照しながら、本発明に係るファン付き衣服の一実施形態について説明する。以下に挙げる実施形態は、一例に過ぎない。
【００１８】
本実施形態のファン付き衣服１は、着用者の胴を覆う胴部１１と、胴部１１に配されファン付き衣服１の内部に空気を供給する送風部１２（図５参照）と、着用者の腕を覆う袖部１３とを有する。袖部１３は、伸縮性を有する生地で構成されているため、着用者の腕を伸縮性を有する生地で締めることによって、袖口１３１、１４１からの吸気の漏出を防止することができる。
【００１９】
本実施形態のファン付き衣服１は、図１に示したように、袖部１３の外側に第２袖部１４を備える。第２袖部１４の丈は、約２０〜５０ｃｍであり、いわゆる半袖の丈である。このような、短い丈のファン付き衣服１では袖を構成する生地が短いため、腕の曲げたり延ばしたりする際に袖の生地が突っ張り難く作業を行う際の着心地がよい。図１において、第２袖部１４は実線で示し、第２袖部１４によって隠れている袖部１３を透視した状態で破線により示した（図２、図４、図８において同じ。）。
【００２０】
一方で、ファン付き衣服３において、袖３４の丈を短くすると、図３において矢印で示したように、送風部からファン付き衣服の内部に供給される空気の大半が袖口３４１から漏出してしまう。その結果、着用者の頸部に空気をほとんど供給することができなくなり、着用者の身体を効率的に冷却することができなくなってしまう。頸部には、複数本の太い血管が皮膚の近くを流れている。このため、着用者の身体を冷却するには頸部に空気を供給することが効率的である。なお、図３においては、後述する貫通孔にはめ込まれる送風部は省略して示した（図２、図４、及び図８において同じ。）。
【００２１】
本実施形態のファン付き衣服１では、上述の通り、半袖丈の第２袖部１４の内側に伸縮性生地で構成した袖部１３を設けているため、袖口１３１、１４１からの空気の漏出を効果的に防止することができる。このため、送風部１２からファン付き衣服１の内部に供給された空気は、図２において矢印で示したように、ファン付き衣服１の襟１１４を経て外に排出されるようになる。このとき着用者の頸部を空気が通り抜けるため、着用者の身体が効率的に冷却される。
【００２２】
まとめると、本実施形態のファン付き衣服１では、腕の曲げ伸ばしの際に第２袖部１４の生地が突っ張り難く、動きやすい。また、袖口１３１、１４１からの空気の漏出が防止され、頸部により多くの空気が供給されるようになるため涼感にも優れる。さらに、従来は見られなかった袖丈の短いファン付き衣服を提供することができるようになり、袖丈の短いファン付き衣服を求めるユーザーの需要を満足させることが可能になる。
【００２３】
本実施形態のファン付き衣服では、図１に示したように、第２袖部１４の丈が袖部１３の丈よりも短くなるよう構成されている。このようにすることによって、第２袖部１４の袖口１４１から露出する腕を紫外線や外傷から保護することができる。第２袖部１４は、伸縮性を有する生地から構成されているため、腕を曲げ伸ばしする動作を妨げない。また、第２袖部１４は、着用者の腕にフィットする形状となっているため、第２袖部１４が作業の邪魔になることはない。袖部１３によって腕を保護するためには、袖部１３の長さは、肘から手首のまでの任意の長さにすることが好ましい。例えば、袖部の長さを３０〜８０ｃｍとすることが好ましい。
【００２４】
［各部の構成］
以下、本実施形態のファン付き衣服１を構成する各部の構成について説明する。
【００２５】
胴部１１は、着用者の胴を覆う部分である。胴部１１は、着用者の胴を覆うことができる形であればよく、その具体的な構成は特に限定されない。本実施形態のファン付き衣服１では、図１及び図２に示したように、胴部１１は、前身頃１１１と、後身頃１１２と、ヨーク１１３と、襟１１４と、裾布１１５とを含む。
【００２６】
前身頃１１１は、図１に示したように、右前身頃１１１ａと左前身頃１１１ｂとに分割されており、右前身頃１１１ａと左前身頃１１１ｂの端部には、線ファスナー１１６が設けられる。線ファスナー１１６を閉じることによって、胴部の前側を密閉することができる。これによって、胴部１１の前側から空気が漏出することを防止することができる。線ファスナー１１６は、ヨーク１１３を経て襟１１４の端部に至るまで連続する。したがって、襟周辺において線ファスナー１１６を締める度合いを調整することによって、襟１１４から排出される空気の流量を調整することが可能になる。
【００２７】
後身頃１１２は、略長方形状の右後身頃１１２ａと左後身頃１１２ｂと、長方形状の中後身頃１１２ｃとに分割されている。後見頃１１２の腰寄りの部分、より具体的には、右後身頃１１２ａと左後身頃１１２ｂの腰寄りの部分には、後述する送風部１２を嵌める貫通孔１６と保護具１７とが、それぞれ設けられる。
【００２８】
胴部１１を構成する布は、それぞれ以下のように縫合されている。後身頃１１２は、右後身頃１１２ａの左端部と中後身頃１１２ｃの右端部とが縫合され、左後身頃１１２ｂの右端部と中後身頃１１２ｃの左端部とが縫合された状態である。そして、後右身頃１１２の右端部と前右身頃１１１ａの右端部とが縫合され、後左身頃１１２ｂの左端部と前左身頃１１１ｂの左端部とが縫合されている。そして、後身頃１１２及び前身頃１１１の上端部と、ヨーク１１３の両下端部とが縫合されている。前身頃１１１及び後見頃１１２の下端部と裾布１１５の上端部とが縫合されている。襟１１４は、ヨーク１１３の上端部に設けられた襟ぐりに縫合されている。
【００２９】
胴部１１の右側及び左側の上部には略円形の袖ぐりが配される。袖ぐりには、伸縮性を有する生地を筒状に縫合してなる袖部１３の基端部と、任意の生地を筒状に縫合してなる第２袖部１４の基端部とが、縫合される。このとき、第２袖部１４が外側になり、袖部１３が内側になるように、袖ぐりに対して縫合される。袖部１３は、着用者が腕を通したときに腕にフィットして腕を締めることができる程度の寸法で筒状に縫合される。
【００３０】
袖部１３を構成する生地は、伸縮性を備えるものを使用する。そのようなものとしては、例えば、編物又は織布が挙げられる。織布は、経糸及び/又は緯糸に弾性糸を使用することが好ましい。織織布は、適度な通気性を有するため、作業時における蒸れを防止することができるので好ましい。
【００３１】
裾布１５は、後述する１２から供給される空気がファン付き衣服１の外に漏出することを防止する構成とすることが好ましい。例えば、裾布１５を構成する生地に伸縮糸を使用したり、裾布１５を折り返して袋状となし、その中にゴムなどの伸縮材を内蔵させた状態で前身頃等に縫合してもよいし、図１に示したように、裾布１５によって裾口の内径を小さく絞ってもよいし、釦１１５ａなどの固定具を利用して裾口の内径を小さく絞った状態で固定することができるようにしてもよい。
【００３２】
第２裾部１４は、上述の通り、任意の素材で構成すればよい。例えば、胴部１１を構成する生地と同種の生地を使用してもよい。第２裾部１４を構成する生地としては、例えば、綿等の天然素材の糸、又はポリエステル、若しくはナイロン等の合成繊維の糸で織成した織布を使用することができる。中でも、型崩れし難く、耐摩耗性に優れ、軽量かつ速乾性に優れるポリエステルを含む織布で構成することが好ましい。
【００３３】
本実施形態のファン付き衣服１では、上述の通り、後右身頃１１２ａ及び後左身頃１１２ｂにそれぞれ貫通孔１６を設け、貫通孔１６の縁に保護具１７を固定する。図６に示したように、保護具１７は、貫通孔１６の縁を覆って、ファン付き衣服１を構成する生地の端部が解れたり、破れたりしないようにする。保護具１７は、合成ゴムなどの弾性素材から構成されており、ファン付き衣服１を構成する生地に追従して曲ることができる。
【００３４】
上記の保護具１７は、図６に示したように、後述する送風部１２に設けられた取付用のフランジ１２１に対応する凹部１７１を備えている。この凹部１７１に送風部１２のフランジ１２１を嵌めることで、送風部１２を固定する位置を定めることができる。送風部１２を保護具１７に固定するには、図６に示したように、凹部１７１にフランジ１２１を嵌めた状態で、ファン付き衣服１の内側から菅状の固定具１８を送風部１２のケース１２２に嵌めて、固定具１８とフランジ１２１とで保護具１７を挟むようにする。固定具１８が脱落しないように、固定具１８とケース１２２とを爪を用いて係合させるようにしてもよい。
【００３５】
送風部１２は、ファン付き衣服１の内部に空気を供給することができるものであればよい。本実施形態のファン付き衣服１では、図６に示したように、送風部１２として、ファン１２３と、ファン１２３を回転させる駆動源１２４と、ファン１２３を内蔵するケース１２２と、ケース１２２の上端部又は下端部に設けられ、ファンの回転軸に交差する方向に突出するフランジ１２１と、ケース１２２に嵌めることができる蓋体１２５と、上述の固定具１８とを含む。蓋体１２５とケース１２２は、格子で構成されている。このため、ファン１２３を回転させると蓋体１２５を介して空気が取り込まれ、ケース１２２を経て、ファン付き衣服１の中に空気が排出される。
【００３６】
駆動源１２４としては、例えば、小型のモータが挙げれられる。例えば、モーターは、図示しない小型バッテリーを接続して、ファン１２３を回転させる電力を供給すればよい。そして、例えば、ファン付き衣服１の内側に小型バッテリーを収納するためのポケットを設ければよい。
【００３７】
ファン１２３を内蔵するケース１２２は、図７に示したように、着用者の身体４に向く面、すなわち、空気の排出口が側面視において略円弧状となっている。このため、図７に示したように、着用者の身体４がケース１２２に密着したとしてもケース１２２の曲面部分１２２ａから吸気をファン付き衣服の内部に排出することが可能になる。また、ケース１２２が略円弧状になっているため、着用者の身体がケースに密着したととしても、ケース１２２の角が着用者の身体４に当たることがないので不快感を軽減することができる。
【００３８】
［他の実施形態］
図８に示したように、第２袖部１４の丈が、袖部２３の丈よりも長くなるようにファン付き衣服の構成を変更してもよい。このようにしたファン付き衣服１では、袖部２３が外に表われない。このため、袖を二重構造にしていない通常のファン付き衣服の外観と同等に仕上げることが可能になる。袖部２３の丈は、例えば、２ｃｍ以上、６０ｃｍ未満とすることが好ましく、４０ｃｍ以下とすることがより好ましく、３０ｃｍ以下とすることがさらに好ましい。
【００３９】
図８に示したファン付き衣服２の袖部２３としては、例えば、衣服の袖口に使用されるリブやその他の伸縮性を有する織編布を筒状にしたものを使用することができる。リブはリブ編み（蛙編み）で編まれた生地を筒状に縫合して構成されており、伸縮性を有する。
【００４０】
上記のファン付き衣服２は、ファン付き衣服１と同様に、袖口１４からの空気の漏出が防止されると共に、袖を構成する生地が突っ張らないため、作業時における着心地に優れている。ファン付き衣服２において、ファン付き衣服１と同様の構成については、ファン付き衣服１で使用したのと同じ符号を使用した。
【００４１】
上記の実施形態のファン付き衣服１、２では、図２及び図８に示したように、袖部１３、２３がいずれもテーパー状とされている。すなわち、袖部１３、２３の胴側（袖部の基端側）の内径に対して手側（袖部の先端側）の内径が小さくなる筒状の形状とされている。袖部１３、２３をテーパー状にすることにより、着用者の脇の下の周辺に空気が通り抜けることができる空間を形成することができる。すなわち、送風部１２から空気を供給すると、図２及び図８において矢印で示したように、供給された空気の一部は、着用者の脇の下の周辺を通って、着用者の胴側に戻り、襟１１４を経てファン付き衣服の外部に排出されるようになる。
【００４２】
袖部１３、２３をテーパー状にすることによって、ファン付き衣服１の内部に供給された空気を脇の下周辺に導いてより効率的に着用者の身体を冷却することが可能になる。脇の下部分では、皮膚の近くを太い血管が走っており、脇の下周辺に空気を供給することによって、着用者の身体を冷却することができる。
【００４３】
上記の実施形態に係るファン付き衣服１では、第２袖部１４の丈を半袖丈としたが、例えば、第２袖部１４の丈を８〜６０ｃｍの範囲で変更してもよい。上述の第２袖部１４を半袖丈とした場合と同様の作用効果を得ることができる。
【００４４】
上記の実施形態に係るファン付き衣服では、袖部１３と第２袖部１４とを備える二重の袖としたが、第２袖部１４を省略してもよい。
【符号の説明】
【００４５】
１      ファン付き衣服
１１    胴部
１２    送風部
１３    袖部
１４１  袖口
１３１  袖口
１４    第２袖部